(57)【要約】      （修正有）【課題】ＩＣカードの表面および裏面に表面情報および裏面情報を印字し、かつＩＣチップ内に表面情報、裏面情報およびＩＤ情報を書込み、さらに裏面情報のうちＩＣカードの裏面に印字できない情報を追記情報ラベルとして容易かつ効率良く発行する。【解決手段】各個人のＩＤ情報に基づいてデータベース１２から表面情報、裏面情報が表裏面情報出力部１４に送られ、ＩＤ情報に基づいて顔画像情報生成部１３から顔画像情報が表裏面情報出力部１４に送られる。表裏面情報出力部１４から送られる表面情報、裏面情報、ＩＤ情報、顔画像情報に基づいて、ＩＣカード用書込機能付プリンタ１５によってＩＣカードの表面に表面情報、ＩＤ情報および顔画像情報が印字され、裏面に裏面情報が印字される。またＩＣチップに表面情報、裏面情報およびＩＤ情報が書込まれる。ＩＣチップの裏面情報に基づいて、追記情報ラベル発行部１８により、追記情報ラベルが発行される。【選択図】図１
2011053947.tif 000002
【特許請求の範囲】
【請求項１】
ＩＣチップを含むＩＣカードの表面および裏面に個人の表面情報および裏面情報を印字するとともに、ＩＣチップに表面情報と裏面情報を書き込むＩＣカードの印字書込システムにおいて、
各個人のＩＤ情報が入力されるＩＤ情報入力部と、
多数の個人の表面情報および裏面情報がＩＤ情報とともに蓄えられ、ＩＤ情報入力部からのＩＤ情報に基づいて、当該ＩＤ情報に対応する個人のＩＤ情報、表面情報および裏面情報を出力するデータベースと、
データベースから個人のＩＤ情報、表面情報および裏面情報が送られ、これらＩＤ情報、表面情報および裏面情報を受けたのち出力する表裏面情報出力部と、
表裏面情報出力部からのＩＤ情報、表面情報および裏面情報に基づいて、ＩＣカードの表面および裏面に表面情報および裏面情報を各々印字するとともに、ＩＣチップにＩＤ情報、表面情報および裏面情報を書き込むＩＣカード用書込機能付プリンタと、
ＩＣカードのＩＣチップから裏面情報のうちＩＤカードの裏面に印字できない追記情報を読み取り、あるいはＩＣカードのＩＣチップからＩＤ情報を読み取って表裏面情報出力部から追記情報を取得して、この追記情報を含む追記情報ラベルを発行する追記情報ラベル発行部と、を備えたことを特徴とするＩＣカードの印字、書込システム。
【請求項２】
ＩＤ情報に対応した顔画像情報を生成する顔画像情報生成手段を更に備え、
表裏面情報出力部は、顔画像情報生成手段からの顔画像情報を表面情報、裏面情報およびＩＤ情報とともに出力し、
ＩＣカード用書込機能付プリンタは表裏面情報出力部から送られた表面情報、裏面情報、顔画像情報およびＩＤ情報に基づいて、ＩＣカードの表面に表面情報および顔画像情報を印字するとともに、ＩＣカードの裏面に裏面情報を印字し、ＩＣチップに表面情報および裏面情報を書込むことを特徴とする請求項１記載のＩＣカードの印字、書込システム。
【請求項３】
顔画像情報生成手段は撮影装置を含むことを特徴とする請求項２記載のＩＣカードの印字、書込システム。
【請求項４】
顔画像情報生成手段は、予め作成された顔画像を電子データとして取込む装置を含むことを特徴とする請求項２記載のＩＣカードの印字、書込システム。
【請求項５】
ＩＣチップを含むＩＣカードの表面および裏面に個人の表面情報および裏面情報を印字するとともに、ＩＣチップに表面情報と裏面情報を書き込むＩＣカードの印字書込システムにおいて、
各個人のＩＤ情報が入力されるＩＤ情報入力部と、
多数の個人の表面情報および裏面情報がＩＤ情報とともに蓄えられ、ＩＤ情報入力部からのＩＤ情報に基づいて、当該ＩＤ情報に対応する個人のＩＤ情報、表面情報および裏面情報を出力するデータベースと、
データベースから個人のＩＤ情報、表面情報および裏面情報が送られ、これらＩＤ情報、表面情報および裏面情報を受けたのち出力する表裏面情報出力部と、
表裏面情報出力部からのＩＤ情報、表面情報および裏面情報に基づいて、ＩＣカードの表面および裏面に表面情報および裏面情報を各々印字するとともに、ＩＣチップにＩＤ情報、表面情報および裏面情報を書き込むＩＣカード用書込機能付プリンタと、
ＩＣカード用書込機能付プリンタの下流側に設けられ、ＩＣチップに書込まれた表面情報および裏面情報を読み取ってその内容確認を行なう確認用リーダライタとを備えたことを特徴とするＩＣカードの印字、書込システム。
【請求項６】
確認用リーダライタの下流側に、ＩＣカードのＩＣチップから裏面情報のうちＩＤカードの裏面に印字できない追記情報を読み取り、あるいはＩＣカードのＩＣチップからＩＤ情報を読み取って表裏面情報出力部から追記情報を読み取って、この追記情報を含む追記情報ラベルを発行する追記情報ラベル発行部を接続したことを特徴とする請求項５記載のＩＣカードの印字、書込システム。
【発明の詳細な説明】
【技術分野】
【０００１】
本発明は社員カード、銀行カード、運転免許証等のＩＣカードを作製するため、ＩＣカードに対して必要な文字および顔画像を印字するとともにＩＣチップに必要な情報を書き込むＩＣカードの印字、書込システムに関する。
【背景技術】
【０００２】
従来よりＩＣカードを作製する場合、ＩＣカード用書込機能付プリンタを用いて、ＩＣチップを含むＩＣカードの表面に必要な文字および顔画像を印字し、更にこれら必要な情報をＩＣカードのＩＣチップ内に書き込んでいる。
【０００３】
またＩＣカードの表面に印字できない情報については、プリントされた用紙をみてオペレータが手動にてその内容を確認しながらＩＣカードの裏面に印字するとともに、オペレータが手動でＩＣカードの裏面の情報はＩＣチップ内に追加して書込んでいる。
【０００４】
さらにＩＣカードの裏面に印字できない情報は、ＩＣカードの裏面に印字することなく、別の入力装置によりＩＣチップ内に追記情報として書き込むと同時に、追加用紙に印字してこの追加用紙をＩＣカードに貼付している。
【０００５】
他方、ＩＣカードの表面および裏面に各々表面情報および裏面情報を印字する技術は知られている（特開２００８−２３９０６）。
【先行技術文献】
【特許文献】
【０００６】
【特許文献１】特開２００８−２３９０６
【発明の概要】
【発明が解決しようとする課題】
【０００７】
上述のようにＩＣカードを作製する場合、ＩＣカード用書込機能付プリンタを用いて、ＩＣカードの表面に必要な文字および顔画像を印字している。またＩＣカードの表面に印字できない情報については、プリントされた用紙をみながらオペレータが手動にてその内容を確認しながらＩＣカードの裏面に印字するとともに、ＩＣカードの裏面の情報をＩＣチップ内に追加して書込んでいる。またＩＣカードの裏面に印字できない情報は追加用紙に印字してＩＣカードに貼付している。
【０００８】
しかしながら上述した裏面情報のＩＣカードへの印字作業、ＩＣチップへの書込み作業、および追加用紙への印字作業はすべてオペレータが作動により行なっており、作業効率が悪くかつ正確さに問題がある。
【０００９】
またＩＣカードの表面および裏面に各々表面情報および裏面情報を印字する技術は知られているが、この場合もＩＣカードの裏面に印字できない追記情報の取扱いについては述べられていない。
【００１０】
本発明はこのような点を考慮してなされたものであり、オペレータが関与する比重を低減して作業効率良くかつ正確にＩＣカードの表面および裏面に対して必要な情報を印字することができ、かつＩＣチップ内に必要な情報を書き込むことができるＩＣカードの印字、書込システムを提供することを目的とする。
【課題を解決するための手段】
【００１１】
本発明は、ＩＣチップを含むＩＣカードの表面および裏面に個人の表面情報および裏面情報を印字するとともに、ＩＣチップに表面情報と裏面情報を書き込むＩＣカードの印字書込システムにおいて、各個人のＩＤ情報が入力されるＩＤ情報入力部と、多数の個人の表面情報および裏面情報がＩＤ情報とともに蓄えられ、ＩＤ情報入力部からのＩＤ情報に基づいて、当該ＩＤ情報に対応する個人のＩＤ情報、表面情報および裏面情報を出力するデータベースと、データベースから個人のＩＤ情報、表面情報および裏面情報が送られ、これらＩＤ情報、表面情報および裏面情報を受けたのち出力する表裏面情報出力部と、表裏面情報出力部からのＩＤ情報、表面情報および裏面情報に基づいて、ＩＣカードの表面および裏面に表面情報および裏面情報を各々印字するとともに、ＩＣチップにＩＤ情報、表面情報および裏面情報を書き込むＩＣカード用書込機能付プリンタと、ＩＣカードのＩＣチップから裏面情報のうちＩＤカードの裏面に印字できない追記情報を読み取り、あるいはＩＣカードのＩＣチップからＩＤ情報を読み取って表裏面情報出力部から追記情報を取得して、この追記情報を含む追記情報ラベルを発行する追記情報ラベル発行部と、を備えたことを特徴とするＩＣカードの印字、書込システムである。
【００１２】
本発明は、ＩＤ情報に対応した顔画像情報を生成する顔画像情報生成手段を更に備え、表裏面情報出力部は、顔画像情報生成手段からの顔画像情報を表面情報、裏面情報およびＩＤ情報とともに出力し、ＩＣカード用書込機能付プリンタは表裏面情報出力部から送られた表面情報、裏面情報、顔画像情報およびＩＤ情報に基づいて、ＩＣカードの表面に表面情報および顔画像情報を印字するとともに、ＩＣカードの裏面に裏面情報を印字し、ＩＣチップに表面情報および裏面情報を書込むことを特徴とするＩＣカードの印字、書込システムである。
【００１３】
本発明は、顔画像情報生成手段は撮影装置を含むことを特徴とするＩＣカードの印字、書込システムである。
【００１４】
本発明は、顔画像情報生成手段は、予め作成された顔画像を電子データとして取込む装置を含むことを特徴とするＩＣカードの印字、書込システムである。
【００１５】
本発明は、ＩＣチップを含むＩＣカードの表面および裏面に個人の表面情報および裏面情報を印字するとともに、ＩＣチップに表面情報と裏面情報を書き込むＩＣカードの印字書込システムにおいて、各個人のＩＤ情報が入力されるＩＤ情報入力部と、多数の個人の表面情報および裏面情報がＩＤ情報とともに蓄えられ、ＩＤ情報入力部からのＩＤ情報に基づいて、当該ＩＤ情報に対応する個人のＩＤ情報、表面情報および裏面情報を出力するデータベースと、データベースから個人のＩＤ情報、表面情報および裏面情報が送られ、これらＩＤ情報、表面情報および裏面情報を受けたのち出力する表裏面情報出力部と、表裏面情報出力部からのＩＤ情報、表面情報および裏面情報に基づいて、ＩＣカードの表面および裏面に表面情報および裏面情報を各々印字するとともに、ＩＣチップにＩＤ情報、表面情報および裏面情報を書き込むＩＣカード用書込機能付プリンタと、ＩＣカード用書込機能付プリンタの下流側に設けられ、ＩＣチップに書込まれた表面情報および裏面情報を読み取ってその内容確認を行なう確認用リーダライタとを備えたことを特徴とするＩＣカードの印字、書込システムである。
【００１６】
本発明は、確認用リーダライタの下流側に、ＩＣカードのＩＣチップから裏面情報のうちＩＤカードの裏面に印字できない追記情報を読み取り、あるいはＩＣカードのＩＣチップからＩＤ情報を読み取って表裏面情報出力部から追記情報を読み取って、この追記情報を含む追記情報ラベルを発行する追記情報ラベル発行部を接続したことを特徴とするＩＣカードの印字、書込システムである。
【発明の効果】
【００１７】
以上のように本発明によれば、オペレータが関与することなく、ＩＣカード用書込機能付プリンタにより、ＩＣカードの表面および裏面に、表面情報および裏面情報を効率良くかつ確実に印字することができ、かつＩＣカードのＩＣチップ内に表面情報、裏面情報およびＩＤ情報を効率良くかつ確実に書込むことができる。またオペレータが関わることなく、追記情報ラベル発行部によって、ＩＣカードの裏面に印字できない追記情報を印字することにより、追記情報ラベルを容易かつ効率良く発行することができる。
【図面の簡単な説明】
【００１８】
【図１】図１は本発明によるＩＣカードの印字、書込システムの一実施の形態を示すブロック図。
【図２】図２は本発明によるＩＣカードの印字、書込システムに組込まれたＩＣカード用書込機能付プリンタを示す図。
【図３】図３（ａ）はＩＣカードの表面を示す図、図３（ｂ）はＩＣカードの裏面を示す図、図３（ｃ）は追記情報ラベルを示す図。
【図４】ＩＣカードの印字、書込システムの比較例を示すブロック図。
【発明を実施するための形態】
【００１９】
以下、図面を参照して本発明の実施の形態について説明する。
【００２０】
図１乃至図３は本発明によるＩＣカードの印字、書込システムの一実施の形態を示す図である。
【００２１】
本発明によるＩＣカードの印字、書込システムは、図３（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカードの裏面３に対して裏面情報３ａを印字し、ＩＣチップ１ａ内に表面情報２ａおよび裏面情報３ａを書込んで、例えば社員カード、銀行カード、運転免許証等のＩＣカードを作製するものである。この場合、裏面情報のうちＩＣカード裏面に印字できない追記情報５ａは、追記情報ラベル５に印字される。
【００２２】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字されている。
【００２３】
このようなＩＣカードの印字、書込システム１０は図１に示すように、ＩＣカードの印字、書込みを行なう必要がある個人のＩＤ情報２ｃが入力されるＩＤ情報入力部１１と、多数の個人の表面情報２ａおよび裏面情報３ａがＩＤ情報２ｃとともに蓄えられ、ＩＤ情報入力部１１からのＩＤ情報２ｃに基づいて、当該ＩＤ情報に対応する個人のＩＤ情報２ｃ、表面情報２ａ、および裏面情報３ａを出力するデータベース１２と、ＩＤ情報入力部１１からのＩＤ情報２ｃに基づいて、このＩＤ情報２ｃに対応した顔画像情報２ｂを生成する顔画像生成手段１３とを備えている。
【００２４】
このうち顔画像生成手段１３はカメラ等の撮影装置、または予め作成された顔画像を電子データとして取込んで顔画像情報を生成する装置からなっている。
【００２５】
またデータベース１２および顔画像情報生成部１３に、データベース１２からのＩＤ情報２ｃに対応する表面情報２ａおよび裏面情報３ａが送られるとともに、顔画像情報生成部１３からの顔画像情報２ｂが送られる表裏面情報出力部１４が接続され、さらに表裏面情報出力部１４に、ＩＤ情報２ｃ、表面情報２ａ、裏面情報３ａ、および顔画像情報２ｂに基づいて、ＩＣカード１の表面２に表面情報２ａ、顔画像情報２ｂおよびＩＤ情報２ｃを印字するとともに、ＩＣカード１の裏面３に裏面情報３ａを印字するＩＣカード用書込機能付プリンタ１５が接続されている。
【００２６】
このＩＣカード用書込機能付プリンタ１５においては、ＩＣカード１のＩＣチップ１ａ内に、表面情報２ａおよび裏面情報３ａが書込まれる。
【００２７】
さらにＩＣカード用書込機能付プリンタ１５の下流側には、ＩＣカード１のＩＣチップ１ａ内に書き込まれた表面情報２ａおよび裏面情報３ａを読み取ってその内容を確認する第２リーダライタ（確認用リーダライタ）１７が接続されている。
【００２８】
さらにこの第２リーダライタ１７には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部１８が接続されている。
【００２９】
次にＩＣカード用書込機能付プリンタ１５について図２により更に詳述する。
【００３０】
図２に示すようにＩＣカード用書込機能付プリンタ１５は、ケーシング２０と、ケーシング２０内上方に設けられＩＣカード１を積層して収納するＩＣカード用スタッカ２１と、ＩＣカード用スタッカ２１からのＩＣカード１を搬送する第１搬送ライン３２と、第１搬送ライン３２に沿って配置されＩＣカード１の表面２に顔画像情報２ｂを印字するＹ印刷部２２、Ｍ印刷部２３およびＣ印刷部２４とを有している。このうちＹ印刷部２２はＩＣカード１の表面２にイエロー印刷を施すものであり、Ｍ印刷部２３はＩＣカード１の表面２にマゼンタ印刷を施すものであり、Ｃ印刷部２４はＩＣカード１の表面２にシアン印刷を施すものである。
【００３１】
またＣ印刷部２４の下流側には、Ｙ印刷部２２、Ｍ印刷部２３およびＣ印刷部２４によって印刷されたインキをＩＣカード１の表面２に定着させるインキ定着部２５が設けられ、さらにインキ定着部２５の下流側にはＩＣカード１の表面２に表面情報２ａおよびＩＤ情報２ｃを印字する表面印字部２６が設けられている。
【００３２】
表面印字部２６を通過したＩＣカード１は第１搬送ライン３２から第１リーダライタ２７および裏面印字部２８へ送られた後、ケーシング２０下方にある第２搬送ライン３３へ送られる。
【００３３】
このうち、第１リーダライタ２７は、ＩＣカード１のＩＣチップ１ａに表面情報２ａ、裏面情報３ａおよびＩＤ情報２ｃを書込むものであり、裏面印字部２８はＩＣカード１の表面２に裏面情報３ａを印字するものである。
【００３４】
さらに第２搬送ライン３３に沿って、ＩＣカード１の表面２に印字された表面情報２ａを保護するためＩＣカード１の表面２上に第１保護シート（図示せず）を設ける第１保護シート形成部２９が設けられ、第１保護シート形成部２９のの下流側に第１保護シート上に更に第２保護シート（図示せず）を設ける第２保護シート形成部３０が設けられている。
【００３５】
また第２搬送ライン３３の下流側には、表面情報２ａ、顔画像情報２ｂ、ＩＤ情報２ｃが表面２に印字され、裏面情報３ａが裏面３に印字され、かつ表面情報２ａ、裏面情報３ａおよびＩＤ情報２ｃが書込まれたＩＣカード１を受け取り、第１集積部３５ａ、第２集積部３５ｂまたは裏面印字集積部３６へＩＣカード１を振分ける振分け機構３４が設けられている。
【００３６】
このうち第１集積部３５ａ、第２集積部３５ｂは、裏面３に対して印字する必要のないＩＣカード１をＩＣカード１の種類に基づいて集積するものであり、裏面印字集積部３６は、ＩＣカード１の裏面３に対して必要な裏面情報３ａが印字されたＩＣカード１を集積するものである。
【００３７】
第１集積部３５ａ、第２集積部３５ｂまたは裏面印字集積部３６を経たＩＣカード１は、その後確認用リーダライタ１７側へ送られる。
【００３８】
なお、ＩＣカード用書込機能付プリンタ１５における構成部分は、プリンタ制御部１５Ａにより駆動制御される。また上述した表裏面情報出力部１４はプリンタ制御部１５Ａ内に内蔵されている。
【００３９】
次にこのような構成からなる本実施の形態の作用について、図１乃至図４を用いて説明する。
【００４０】
まずＩＣカード１に対して印字しかつ書込む必要のある個人のＩＤ情報２ｃがＩＤ情報入力部１１から入力され、ＩＤ情報入力部１１から入力されたＩＤ情報２ｃはデータベース１２および顔画像情報生成部１３へ送られる。
【００４１】
ここでＩＤ情報入力部１１としては、個人のＩＤ情報２ｃが記載された用紙を読取るＯＣＲ等が考えられる。すなわち各個人は用紙にＩＤ情報２ｃ（ＩＤ番号、氏名、生年月日、住所等のＩＤ情報）を記入し、ＯＣＲからなるＩＤ情報入力部１１により用紙に記入されたＩＤ番号、氏名、生年月日、住所等のＩＤ情報を読取るようになっている。
【００４２】
ＩＤ情報２ｃがデータベース１２へ送られると、データベース１２内でＩＤ情報２ｃに対応する表面情報２ａおよび裏面情報３ａが集められ、これら表面情報２ａおよび裏面情報３ａがＩＤ情報２ｃとともに表裏面情報出力部１４へ送られる。ここで表面情報２ａは個人の氏名、住所等の情報を含み、裏面情報３ａは詳細な住所情報を含む。
【００４３】
同時に顔画像情報生成部１３では、個人の顔画像がカメラ等により撮影され、顔画像情報２ｂが生成されるとともに、生成された顔画像情報２ｂはＩＤ情報２ｃとともに、表裏面情報出力部１４へ送られる。
【００４４】
表裏面情報出力部１４は、次に表面情報２ａ、裏面情報３ａおよび顔画像情報２ｂをＩＤ情報２ｃとともに、ＩＣカード用書込機能付プリンタ１５へ送る。その後ＩＣカード用書込機能付プリンタ１５内においてＩＣカード１の表面２に表面情報２ａ、ＩＤ情報２ｃおよび顔画像情報２ｂが印字され、裏面３に裏面情報３ａが印字され、かつＩＣチップ１ａ内に表面情報２ａおよび裏面情報３ａが書込まれる。
【００４５】
次にＩＣカード用書込機能付プリンタ１５内における作用について詳述する。
【００４６】
まず、印字および書込みがなされていないＩＣカード１がＩＣカード用スタッカ２１内に積層して集積されている。次にＩＣカード用スタッカ２１から印字および書込みがなされていないＩＣカード１が第１搬送ライン３２へ送られ、ＩＣカード１は第１搬送ライン３２に沿って搬送される。
【００４７】
第１搬送ライン３２に沿ってＩＣカード１が搬送される際、このＩＣカード１の表面２に対してＹ印刷部２２、Ｍ印刷部２３およびＣ印刷部２４によって、各々イエロー印刷、マゼンタ印刷、およびシアン印刷が施され、このようにしてＩＣカード１の表面２に顔画像情報２ｂが印字される。
【００４８】
次にＩＣカード１は第１搬送ライン３２によってインキ定着部２５へ送られ、このインキ定着部２５においてＹ印刷部２２、Ｍ印刷部２３およびＣ印刷部２４によって印字された顔画像情報２ｂのインキがＩＣカード１の表面２に定着される。
【００４９】
その後ＩＣカード１は第１搬送ライン３２によって表面印字部２６に送られ、この表面印字部２６においてＩＣカード１の表面２に表面情報２ａおよびＩＤ情報２ｃが印字される。
【００５０】
次にＩＣカード１は第１搬送ライン３２から第１リーダライタ２７へ送られ、この第１リーダライタ２７においてＩＣカード１のＩＣチップ１ａに対して表面情報２ａ、裏面情報３ａおよびＩＤ情報２ｃが書込まれる。その後ＩＣカード１は、裏面印字部２８へ送られ、この裏面印字部２８においてＩＣカード１の裏面３に裏面情報３ａが印字される。
【００５１】
このようにして表面情報２ａ、顔画像情報２ｂ、ＩＤ情報２ｃが表面２に印字され、裏面情報３ａが裏面３に印字され、かつＩＣチップ１ａに表面情報２ａ、ＩＤ情報２ｃ、および裏面情報３ａが書込まれたＩＣカード１は、その後第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【００５２】
なお、ＩＣカード１の裏面３に印字したりＩＣチップ１ａに書込むべき裏面情報３ａがない場合、裏面３に裏面情報３ａが印字されることはなく、かつＩＣチップ１ａ内に裏面情報３ａが書込まれることはなく、ＩＣカード１は第１リーダライタ２７および裏面印字部２８を通過する。
【００５３】
次にＩＣカード１は第２搬送ライン３３により搬送され、振分け機構３４に達する。ＩＣカード１はこの振分け機構３４により振分けられ、ＩＣカード１のうち、表面２のみに表面情報２ａ、顔画像情報２ｂおよびＩＤ情報２ｃが印字され、裏面３には裏面情報３ａが印字されていないＩＤカード１は第１集積部３５ａ、第２集積部３５ｂへ送られる。
【００５４】
他方、表面２に表面情報２ａ、顔画像情報２ｂおよびＩＤ情報２ｃが印字され、裏面３にも裏面情報３ａが印字されたＩＤカード１は裏面印字集積部３６へ送られる。
【００５５】
このようにしてＩＣカード用書込機能付プリンタ１５によって、ＩＣカード１に対する印字および書込作業が終了し、印字および書込済のＩＣカード１が得られる（図１の符号１６）。
【００５６】
なお、上述のようにＩＣカード用書込機能付プリンタ１５における各構成部分は、プリンタ制御部１５Ａにより駆動制御される。
【００５７】
このようにＩＣカード用書込機能付プリンタ１５によって印字および書込みが行なわれたＩＣカード１は、次に第２リーダライタ１７へ送られ、この第２リーダライタ１７において、ＩＣカード１のＩＣチップ１ａ内に書込まれた表面情報２ａ、裏面情報３ａおよびＩＤ情報２ｃが読み取られる。第２リーダライタ１７には、表裏面情報出力部１４から表面情報２ａ、裏面情報３ａおよびＩＤ情報２ｃが送られてきており、第２リーダライタ１７は表裏面情報出力部１４からの情報を参照しながらＩＣチップ１ａ内に正しく情報が書込まれているか否か判定し、正しく情報が書込まれていない場合、ＩＣチップ１ａ内に正しい情報を書き込む。
【００５８】
次に第２リーダライタ１７を経たＩＣカード１は、追記情報ラベル発行部１８に送られる。この追記情報ラベル発行部１８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００５９】
この場合、追加情報ラベル発行部１８において、ＩＣカード１のＩＣチップ１ａからＩＤ情報２ｃを読み取り、このＩＤ情報２ｃに対応する追記情報５ａを表裏面情報出力部１４から取得して、追加情報５ａを印字することにより追加情報ラベル５を作製し発行してもよい。
【００６０】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【００６１】
次に本発明によるＩＣカードの印字、書込システムの比較例を図４により説明する。
【００６２】
図４に示す比較例において、ＩＣカード用書込機能付プリンタ１５ａでは、ＩＣカード１の表面２に表面情報２ａ、顔画像情報２ｂ、ＩＤ情報２ｃが印字され、かつＩＣカード１のＩＣチップ１ａ内に表面情報２ａおよびＩＤ情報２ｃが書込まれる。しかしながらＩＣカード１の裏面３に裏面情報３ａが印字されることはなく、かつＩＣチップ１ａ内に裏面情報３ａが書込まれることはない。
【００６３】
すなわち裏面情報３ａの裏面３への印字作業、および裏面情報３ａのＩＣチップ１ａへの書込み作業は、後工程においてオペレータが手動により行なっている。
【００６４】
図４に示す比較例において、まずＩＣカード１に対して印字しかつ書込む必要のある個人のＩＤ情報２ｃがＩＤ情報入力部１１ａから入力され、ＩＤ情報入力部１１ａから入力されたＩＤ情報２ｃはデータベース１２ａおよび顔画像情報生成部１３ａへ送られる。
【００６５】
ＩＤ情報２ｃがデータベース１２ａへ送られると、データベース１２ａ内でＩＤ情報２ｃに対応する表面情報２ａが集められ、表面情報２ａがＩＤ情報２ｃとともに表裏面情報出力部１４ａへ送られる。
【００６６】
同時に顔画像情報生成部１３ａでは、個人の顔画像がカメラ等により撮影され、顔画像情報２ｂが生成されるとともに、生成された顔画像情報２ｂはＩＤ情報２ｃとともに、表裏面情報出力部１４ａへ送られる。
【００６７】
表裏面情報出力部１４ａは、次に表面情報２ａ、および顔画像情報２ｂをＩＤ情報２ｃとともに、ＩＣカード用書込機能付プリンタ１５ａへ送る。その後ＩＣカード用書込機能付プリンタ１５ａ内においてＩＣカード１の表面２に表面情報２ａ、ＩＤ情報２ｃおよび顔画像情報２ｂが印字され、かつＩＣチップ１ａ内に表面情報２ａが書込まれる。
【００６８】
この場合、ＩＣカード１のＩＣチップ１ａには、「裏面情報アリ」の情報のみが書込まれており、ＩＣカード用書込機能付プリンタ１５ａにより印字されかつ書込まれたＩＣカード１は、その後オペレータによりチェックされる。
【００６９】
ＩＣカード１のＩＣチップ１ａ内に「裏面情報アリ」の情報が書込まれている場合、オペレータはＩＤ情報に対応するプリントされた用紙を見ながら、その用紙に記載された裏面情報を確認して手動にてＩＣカード１の裏面３に当該裏面情報を印字しかつＩＣチップ１Ｃ内に裏面情報を書込む（図４の符号１８）。
【００７０】
さらにオペレータは裏面情報のうち、ＩＣカード１の裏面３に印字できない情報を追記情報として別の用紙に印字し、この追記情報用紙をＩＣカード１に貼付している。この場合、追記情報は裏面３に印字することなく、ＩＣチップ１ａのみに書込んでおく（図４の符号１９）。
【００７１】
このように、図４に示す比較例においては、ＩＣカード１の裏面３に印字する裏面情報３ａをオペレータが手動にて裏面３に印字するとともに、この裏面情報３ａを手動にてＩＣチップ１ａ内に書込んでいる。また裏面に印字できない追記情報を追記情報用紙にオペレータが手動にて印字しており、全体の作業効率が低下し、かつ正確性に問題がある。
【００７２】
これに対して本発明によれば、表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が貼付されたＩＣカード１を精度良くかつ効率的に作製することができる。
【００７３】
なお、上記の実施形態において、ＩＣカード用書込機能付プリンタ１５において、第１リーダライタ２７の下流側に裏面印字部２８を設けた例を示したが、これに限らず上流側に裏面印字部２８を設けるとともに、裏面印字部２８の下流側に第１リーダライタ２７を設けてもよい。
【符号の説明】
【００７４】
１０  ＩＣカードの印字、書込システム
１１  ＩＤ情報入力部
１２  データベース
１３  顔画像情報生成部
１４  表裏面情報出力部
１５  ＩＣカード用書込機能付プリンタ
１７  確認用リーダライタ
１８  追記情報ラベル発行部
【図１】
2011053947.tif 000003
【図２】
2011053947.tif 000004
【図３】
2011053947.tif 000005
【図４】
2011053947.tif 000006